(57)【要約】【課題】実際の新聞，雑誌などのイメージと同様の紙面レイアウトイメージを表示でき，しかもそのイメージに基づいて可読サイズの記事を簡単な操作で表示させることができる。【解決手段】複数の記事を有する紙面のイメージ情報と各記事に関連付けられた記事内容情報とを有する電子情報に基づく画像を表示する表示部１０８，１１０と，ジョグレバー１１２などの操作手段を設け，新聞などの紙面イメージを表示部に表示させるとともに，各記事に対応する記事マークを表示させ，表示された記事マークの中から所望の記事マークが選択されると，その記事マークが表示された記事に関連付けられた記事内容情報の画像を表示部に表示させる。【選択図】　　図１
2004139399.tif 000002
【特許請求の範囲】
【請求項１】
複数の記事ごとに区画された部分を有する紙面のイメージ情報と各記事区画に関連付けられた記事の内容情報とを少なくとも有する電子情報に基づく画像を表示する表示手段と，
前記表示手段への表示を操作するための操作手段と，
前記電子情報のうちの紙面のイメージ情報の画像を前記表示手段に表示させるイメージ情報表示制御手段と，
前記操作手段からの操作に応じて，前記表示手段に表示された前記イメージ情報における各記事に対応する記事マークを表示させる記事マーク表示制御手段と，
表示された記事マークの中から前記操作手段からの操作により所望の記事マークが選択されると，その記事マークが表示された記事区画に関連付けられた記事内容情報の画像を前記表示手段に表示させる記事内容情報表示制御手段と，
を設けたことを特徴とする電子情報表示装置。
【請求項２】
前記記事マーク表示制御手段は，前記表示手段に表示された前記イメージ情報における各記事区画内に表示することを特徴とする請求項１に記載の電子情報表示装置。
【請求項３】
前記記事マーク表示制御手段は，各記事の見出し近傍に記事マークを表示させることを特徴とする請求項２に記載の電子情報表示装置。
【請求項４】
前記操作手段は，上方向，下方向，押方向のスイッチを備えたジョグレバーを有し，
記事マーク表示制御手段は，前記表示部にイメージ情報に基づく画面が表示されているときに，前記ジョグレバーが上方向又は下方向にスイッチされると前記記事マークを表示させ，そのうちの１つを選択候補表示しておき，上方向又は下方向にスイッチされるごとに次々と別の記事マークに選択候補表示を移し，
前記記事内容情報表示制御手段は，前記ジョグレバーが押方向にスイッチされると，そのときに選択候補表示された記事マークが選択されたものと判断し，その記事内容情報を前記表示部に表示させることを特徴とする請求項１に記載の電子情報表示装置。
【請求項５】
前記操作手段は，拡大ボタンを設け，
前記記事内容情報表示制御手段により前記表示部に記事内容情報の画像が表示されているときに，前記拡大ボタンが押下されると，その記事内容情報の画像を拡大表示する拡大表示制御手段を設けたことを特徴とする請求項１に記載の電子情報表示装置。
【請求項６】
前記表示手段は，２つの表示画面を備え，
前記イメージ情報表示制御手段は，前記２つの表示画面に見開きでイメージ情報の画像を表示することを特徴とする請求項１に記載の電子情報表示装置。
【請求項７】
前記記事内容情報表示制御手段は，前記表示手段における２つの表示画面のうち，前記記事マークが表示された画面とは，別の表示画面に記事内容情報の画像を表示させることを特徴とする請求項６に記載の電子情報表示装置。
【請求項８】
前記操作手段は，ページめくりボタンを設け，
前記イメージ情報表示制御手段は，前記ページめくりボタンが押下されると，以降のページの前記イメージ情報の画像を前記２つの表示画面に見開きで次々と表示させていくことを特徴とする請求項６に記載の電子情報表示装置。
【請求項９】
前記表示手段は，１つの表示画面を備え，
前記記事内容情報表示制御手段は，前記表示手段における表示画面の一部にウインドウを表示させ，そのウインドウ内に前記記事内容情報の画像を表示させることを特徴とする請求項１に記載の電子情報表示装置。
【請求項１０】
前記電子情報は，半導体メモリに記憶された情報から取入れたものであることを特徴とする請求項１に記載の電子情報表示装置。
【請求項１１】
前記電子情報は，ネットワークを介して取入れたものであることを特徴とする請求項１に記載の電子情報表示装置。
【請求項１２】
前記電子情報表示装置を携帯型情報端末装置の表示装置として適用したことを特徴とする請求項１に記載の電子情報表示装置。
【請求項１３】
前記電子情報表示装置を電子ブックの表示装置として適用したことを特徴とする請求項１に記載の電子情報表示装置。
【請求項１４】
複数の記事ごとに区画された部分を有する紙面のイメージ情報と各記事区画に関連付けられた記事の内容情報とを少なくとも有する電子情報のうち，紙面のイメージ情報の画像を表示手段に表示させるイメージ情報表示工程と，
操作手段からの操作に応じて，前記表示手段に表示された前記イメージ情報における各記事に対応する記事マークを表示させる記事マーク表示工程と，
表示された記事マークの中から前記操作手段からの操作により所望の記事マークが選択されると，その記事マークが表示された記事区画に関連付けられた記事内容情報の画像を前記表示手段に表示させる記事内容情報表示制御工程と，
を有することを特徴とする電子情報表示方法。
【請求項１５】
前記記事マーク表示制御工程は，前記表示手段に表示された前記イメージ情報における各記事区画内に表示することを特徴とする請求項１４に記載の電子情報表示方法。
【請求項１６】
前記記事マーク表示制御工程は，各記事の見出し近傍に記事マークを表示させることを特徴とする請求項１５に記載の電子情報表示方法。
【請求項１７】
前記操作手段は，上方向，下方向，押方向のスイッチを備えたジョグレバーを有し，
前記記事マーク表示制御工程は，前記表示部にイメージ情報に基づく画面が表示されているときに，前記ジョグレバーが上方向又は下方向にスイッチされると前記記事マークを表示させ，そのうちの１つを選択候補表示しておき，上方向又は下方向にスイッチされるごとに次々と別の記事マークに選択候補表示を移し，前記記事内容情報表示制御工程は，前記ジョグレバーが押方向にスイッチされると，そのときに選択候補表示された記事マークが選択されたものと判断し，その記事内容情報を前記表示部に表示させることを特徴とする請求項１４に記載の電子情報表示方法。
【請求項１８】
前記操作手段は，拡大ボタンを設け，
前記記事内容情報表示制御工程により前記表示部に記事内容情報の画像が表示されているときに，前記拡大ボタンが押下されると，その記事内容情報の画像を拡大表示する拡大表示制御工程を設けたことを特徴とする請求項１４に記載の電子情報表示方法。
【請求項１９】
前記表示手段は，２つの表示画面を備え，
前記イメージ情報表示制御工程は，前記２つの表示画面に見開きでイメージ情報の画像を表示することを特徴とする請求項１４に記載の電子情報表示方法。
【請求項２０】
前記記事内容情報表示制御工程は，前記表示手段における２つの表示画面のうち，前記記事マークが表示された画面とは，別の表示画面に記事内容情報の画像を表示させることを特徴とする請求項１９に記載の電子情報表示方法。
【請求項２１】
前記操作手段は，ページめくりボタンを設け，
前記イメージ情報表示制御工程は，前記ページめくりボタンが押下されると，以降のページの前記イメージ情報の画像を前記２つの表示画面に見開きで次々と表示させていくことを特徴とする請求項１９に記載の電子情報表示方法。
【請求項２２】
前記表示手段は，１つの表示画面を備え，
前記記事内容情報表示制御工程は，前記表示手段における表示画面の一部にウインドウを表示させ，そのウインドウ内に前記記事内容情報の画像を表示させることを特徴とする請求項１４に記載の電子情報表示方法。
【請求項２３】
電子情報を表示するプログラムであって，
コンピュータを，
複数の記事ごとに区画された部分を有する紙面のイメージ情報と各記事区画に関連付けられた記事の内容情報とを少なくとも有する電子情報のうち，紙面のイメージ情報の画像を表示手段に表示させるイメージ情報表示手段と，
操作手段からの操作に応じて，前記表示手段に表示された前記イメージ情報における各記事に対応する記事マークを表示させる記事マーク表示手段と，
表示された記事マークの中から前記操作手段からの操作により所望の記事マークが選択されると，その記事マークが表示された記事区画に関連付けられた記事内容情報の画像を前記表示手段に表示させる記事内容情報表示制御手段と，
して機能させるためのプログラム。
【請求項２４】
電子情報を表示するプログラムを記録した記録媒体であって，
コンピュータを，
複数の記事ごとに区画された部分を有する紙面のイメージ情報と各記事区画に関連付けられた記事の内容情報とを少なくとも有する電子情報のうち，紙面のイメージ情報の画像を表示手段に表示させるイメージ情報表示手段と，
操作手段からの操作に応じて，前記表示手段に表示された前記イメージ情報における各記事に対応する記事マークを表示させる記事マーク表示手段と，
表示された記事マークの中から前記操作手段からの操作により所望の記事マークが選択されると，その記事マークが表示された記事区画に関連付けられた記事内容情報の画像を前記表示手段に表示させる記事内容情報表示制御手段と，
して機能させるためのプログラムを記録したコンピュータ読取り可能な記録媒体。
【発明の詳細な説明】
【０００１】
【発明の属する技術分野】
本発明は，新聞，雑誌などの電子情報を表示する電子情報表示装置，電子情報表示方法，プログラム，記録媒体に関する。
【０００２】
【従来の技術】
例えば携帯型情報処理端末装置などの表示装置においては，新聞，雑誌などの電子情報を取込んでディスプレイに表示させて記事を見ることができるものがある。特に携帯型情報端末装置などでは，表示画面を大きくすることができないため，実際の新聞，雑誌の画面よりも小さい画面で表示させることになる。従って，新聞，雑誌の紙面イメージそのままを表示させると，文字が小さくてほとんど読むことができない。
【０００３】
このため，従来は，例えば電子書店や一般のＷｅｂ新聞サイトなどのようにテキスト形式の見出しと記事にリンクつけて，テキスト形式の見出しを表示するとともに，選択された見出しの記事を表示させるようにしていた。
【０００４】
ところが，実際の新聞，雑誌などでは，どの記事が重要か，また今話題となっている記事は何かなどの情報が紙面レイアウトにより一目でわかるようになっている。従って，新聞，雑誌などの情報を情報端末装置で表示させる場合においても，紙面レイアウトをいかに表示させるかが非常に大事である。
【０００５】
ところが，上記の技術では，テキスト形式の見出しの羅列が表示されるだけで，新聞，雑誌などの紙面イメージが表示されないため，その新聞，雑誌の紙面上での各記事の重き付けを感覚的に得ることは困難であるという問題があった。
【０００６】
これに対して，電子情報の紙面イメージから読みたい記事を選択できるものもある（例えば特許文献１，特許文献２参照）。例えば特許文献１の技術は電子情報の紙面イメージのうちから拡大率が可変可能な拡大機能を用いて紙面イメージ上の所望の場所を拡大して表示させるものである。また特許文献２の技術は記事の領域の枠を紙面イメージとして表示し，その部分をタッチパネルなどで選択することによりその部分の記事内容を表示させるものである。
【０００７】
【特許文献１】
特開２００１−２４９７４６号公報
【特許文献２】
特開平８−２６５５５６号公報
【発明が解決しようとする課題】
しかしながら，特許文献１のように電子情報の紙面イメージのうちから拡大機能を用いて所望の場所を拡大して表示させるものでは，いちいち読みたい場所を移動させなくてはならない煩わしさがある。特に小型携帯端末では，表示画面自体が小さいので拡大させる場所を特定する領域が限られるため，大きな紙面イメージ上で読みたい領域を指定することは容易でないという問題があった。
【０００８】
また，特許文献２のように記事の領域の枠を表示して記事の領域を選択できるようにしたものでは，記事の領域が紙面イメージとして表示されるが，その記事の領域内の文字や写真が紙面イメージとして表示されるわけではないので，その記事のイメージを文字や写真がレイアウトされている実際の新聞や雑誌の紙面のイメージ通りに捉えることができない。
【０００９】
そこで，本発明は，このような問題に鑑みてなされたもので，その目的とするところは，実際の新聞，雑誌などのイメージと同様の紙面レイアウトイメージを表示でき，しかもそのイメージに基づいて可読サイズの記事を簡単な操作で表示させることができる電子情報表示装置，電子情報表示方法，プログラム，記録媒体を提供することにある。
【００１０】
【課題を解決するための手段】
上記課題を解決するために，本発明のある観点によれば，複数の記事ごとに区画された部分を有する紙面のイメージ情報と各記事区画に関連付けられた記事の内容情報とを少なくとも有する電子情報に基づく画像を表示する表示手段と，前記表示手段への表示を操作するための操作手段と，前記電子情報のうちの紙面のイメージ情報の画像を前記表示手段に表示させるイメージ情報表示制御手段と，前記操作手段からの操作に応じて，前記表示手段に表示された前記イメージ情報における各記事に対応する記事マークを表示させる記事マーク表示制御手段と，表示された記事マークの中から前記操作手段からの操作により所望の記事マークが選択されると，その記事マークが表示された記事区画に関連付けられた記事内容情報の画像を前記表示手段に表示させる記事内容情報表示制御手段とを設けたことを特徴とする電子情報表示装置が提供される。
【００１１】
このような本発明にかかる装置によれば，新聞，雑誌などの電子情報の紙面イメージを表示し，その紙面イメージ上に記事マークを表示させて，選択された記事マークの記事内容を別途表示させるため，紙面イメージに基づいて可読サイズの記事を簡単な操作で表示させることができる。しかも，記事の選択は記事マークの選択という簡単な操作なので，携帯型情報端末のような小さい画面であっても，容易に所望の記事を選択表示させることができる。また，表示画面では紙面イメージ上に記事マークを表示させれば足りるため，紙面イメージとしては実際の新聞，雑誌などのイメージと同様の紙面レイアウトイメージをそのまま表示させることができる。このため，記事の区画内の文字や写真もそのまま表示されるので，記事の重みなどが一目でわかる。
【００１２】
上記課題を解決するために，本発明の別の観点によれば，複数の記事ごとに区画された部分を有する紙面のイメージ情報と各記事区画に関連付けられた記事の内容情報とを少なくとも有する電子情報のうち，紙面のイメージ情報の画像を表示手段に表示させるイメージ情報表示工程と，操作手段からの操作に応じて，前記表示手段に表示された前記イメージ情報における各記事に対応する記事マークを表示させる記事マーク表示工程と，表示された記事マークの中から前記操作手段からの操作により所望の記事マークが選択されると，その記事マークが表示された記事区画に関連付けられた記事内容情報の画像を前記表示手段に表示させる記事内容情報表示制御工程とを有することを特徴とする電子情報表示方法が提供される。このような方法によれば，上記装置と同様に実際の新聞，雑誌などのイメージと同様の紙面レイアウトイメージを表示でき，しかもそのイメージに基づいて可読サイズの記事を簡単な操作で表示させることができる。
【００１３】
上記装置又は方法において，記事マーク表示制御は，前記表示手段に表示された前記イメージ情報における各記事区画内に表示する如く構成してもよく，また各記事の見出し近傍に記事マークを表示させるようにしてもよい。これにより，その記事の区画の記事マークであることが一目でわかるので，記事の選択が一層容易となる。
【００１４】
また，上記装置又は方法において，操作手段は，上方向，下方向，押方向のスイッチを備えたジョグレバーを有し，記事マーク表示制御は，前記表示部にイメージ情報に基づく画面が表示されているときに，前記ジョグレバーが上方向又は下方向にスイッチされると前記記事マークを表示させ，そのうちの１つを選択候補表示しておき，上方向又は下方向にスイッチされるごとに次々と別の記事マークに選択候補表示を移し，記事内容情報表示制御手段は，前記ジョグレバーが押方向にスイッチされると，そのときに選択候補表示された記事マークが選択されたものと判断し，その記事内容情報を前記表示部に表示させる如く構成すれば，ジョグレバーにより記事マークの選択が可能となり，操作が一層簡単となる。
【００１５】
また，上記装置又は方法において，操作手段は，拡大ボタンを設け，記事内容情報表示制御により前記表示部に記事内容情報の画像が表示されているときに，前記拡大ボタンが押下されると，その記事内容情報の画像を拡大表示する拡大表示制御を行う如く構成すれば，より記事内容を見やすくすることができる。
【００１６】
また，上記装置又は方法において，表示手段は，２つの表示画面を備え，前記イメージ情報表示制御は，前記２つの表示画面に見開きでイメージ情報の画像を表示する如く構成すれば，実際の新聞，雑誌などを見開いたように表示させることができる。
【００１７】
また，上記装置又は方法において，記事内容情報表示制御は，前記表示手段における２つの表示画面のうち，前記記事マークが表示された画面とは，別の表示画面に記事内容情報の画像を表示させる如く構成すれば，新聞のページの紙面イメージとページ内の区画の記事内容を同時に見ることができるので，紙面イメージで表示された新聞のうちどの区画の記事の記事内容が表示されているかなどを記事内容を読みながら確認することができる。
【００１８】
また，操作手段は，ページめくりボタンを設け，前記イメージ情報表示制御は，前記ページめくりボタンが押下されると，以降のページの前記イメージ情報の画像を前記２つの表示画面に見開きで次々と表示させていく如く構成すれば，実際の新聞，雑誌などをページをめくっていくように表示させることができる。
【００１９】
また，表示手段は，１つの表示画面を備え，前記記事内容情報表示制御は，前記表示手段における表示画面の一部にウインドウを表示させ，そのウインドウ内に前記記事内容情報の画像を表示させる如く構成すれば，記事マークを表示した紙面イメージを表示しつつ，その記事内容を表示したウインドウを開くことができる。
【００２０】
また，上記装置において，電子情報は，メモリカードなどのような半導体メモリに記憶された情報から取入れたものであってもよく，また例えば無線や有線によりインターネットなどのネットワークに接続し，電子情報を配信するＷｅｂページ等から取入れたものであってもよい。また，上記電子情報表示装置は，携帯型情報端末装置の表示装置として適用してもよく，電子ブックの表示装置として適用してもよい。
【００２１】
上記課題を解決するために，本発明の別の観点によれば，電子情報を表示するプログラムであって，コンピュータを，複数の記事ごとに区画された部分を有する紙面のイメージ情報と各記事区画に関連付けられた記事の内容情報とを少なくとも有する電子情報のうち，紙面のイメージ情報の画像を表示手段に表示させるイメージ情報表示手段と，操作手段からの操作に応じて，前記表示手段に表示された前記イメージ情報における各記事に対応する記事マークを表示させる記事マーク表示手段と，表示された記事マークの中から前記操作手段からの操作により所望の記事マークが選択されると，その記事マークが表示された記事区画に関連付けられた記事内容情報の画像を前記表示手段に表示させる記事内容情報表示制御手段として機能させるためのプログラムが提供される。これによれば，コンピュータを上記装置と同様に実際の新聞，雑誌などのイメージと同様の紙面レイアウトイメージを表示でき，しかもそのイメージに基づいて可読サイズの記事を簡単な操作で表示させることができる表示装置として機能させることができる。
【００２２】
上記課題を解決するために，本発明の別の観点によれば，電子情報を表示するプログラムを記録した記録媒体であって，コンピュータを，複数の記事ごとに区画された部分を有する紙面のイメージ情報と各記事区画に関連付けられた記事の内容情報とを少なくとも有する電子情報のうち，紙面のイメージ情報の画像を表示手段に表示させるイメージ情報表示手段と，操作手段からの操作に応じて，前記表示手段に表示された前記イメージ情報における各記事に対応する記事マークを表示させる記事マーク表示手段と，表示された記事マークの中から前記操作手段からの操作により所望の記事マークが選択されると，その記事マークが表示された記事区画に関連付けられた記事内容情報の画像を前記表示手段に表示させる記事内容情報表示制御手段として機能させるためのプログラムを記録したコンピュータ読取り可能な記録媒体が提供される。これによれば，記録媒体からプログラムを読取ることにより，コンピュータを上記装置と同様に実際の新聞，雑誌などのイメージと同様の紙面レイアウトイメージを表示でき，しかもそのイメージに基づいて可読サイズの記事を簡単な操作で表示させることができる表示装置として機能させることができる。
【００２３】
【発明の実施の形態】
以下，本発明の第１の実施形態を図面を参照して説明する。図１は電子情報表示装置の１例として携帯型情報端末装置の外観構成を示す図であり，より詳細には携帯型情報端末装置の表示部が見開きになるように開いたときの図である。
（携帯型情報端末装置の構成）
本実施の形態にかかる携帯型情報端末装置１００は，所定の電子回路を収納した筐体１０２及び１０４を備えている。これらの筐体１０２及び１０４は回動軸１０６を介して回動自在に接続している。これにより，筐体１０２及び１０４は回動軸１０６を介して実際の書籍を開くように開閉動作可能となる。
【００２４】
筐体１０２，１０４の内側には，それぞれ表示手段の１例としての表示部１０８，１１０が設けられている。表示部１０８は筐体１０２，１０４を開いた場合に左側に位置するので，左側表示部１０８ともいう。また表示部１１０は筐体１０２，１０４を開いた場合に右側に位置するので，右側表示部１１０ともいう。これら表示部１０８，１１０は例えば液晶表示器により構成する。これら表示部１０８，１１０に新聞，雑誌などの見開きページの電子情報をそれぞれ表示させることにより，実際の新聞，雑誌などを見開いたように表示させることができる。
【００２５】
筐体１０２，１０４，回動軸１０６には，操作ボタン等の操作部が設けられている。例えば回動軸１０６の下方には，ジョグレバー１１２が設けられている。ジョグレバー１１２は，上方向，下方向，押方向にそれぞれスイッチが入るようになっている。また回動軸１０６の上方には電源をオンオフするための電源ボタン１１４が設けられている。回動軸のジョグレバー１１２の上下には，それぞれ戻りボタン１１６，進みボタン１１８が設けられている。ここでは，戻りボタン１１６は前の画面に戻るときに用いられ，進みボタン１１８は次の画面に進むときに用いられる。その他，回動軸１０６には，他リセットボタンなどの操作ボタンを設けてもよい。
【００２６】
筐体１０２，１０４には，それぞれページめくりボタンが設けられている。ページめくりボタンは，ジョグレバー１１２の左側位置に設けられたページめくり左ボタン１２０，ジョグレバー１１２の右側位置に設けられたページめくり右ボタン１２２がある。ここでは，ページめくり左ボタン１２０はページを進めていくときに用いられ，ページめくり右ボタン１２２はページを戻していくときに用いられる。
【００２７】
筐体１０２には，上記ページめくり左ボタン１２０の下側位置に左側拡大ボタン１２４が設けられている。この左側拡大ボタン１２４は例えば左側表示部１０８のウインドウに表示された文字などを拡大するときに用いられる。筐体１０４には，上記ページめくり右ボタン１２２の下側位置に右側拡大ボタン１２６が設けられている。この右側拡大ボタン１２６は例えば右側表示部１１０のウインドウに表示された文字などを拡大するときに用いられる。なお，筐体１０２の右側表示部１１０の下方には，音声，音楽などの音を出力するスピーカ１２８が設けられている。例えば後述する記事ボタンで選択された記事の記事内容を音声で出力したり，その記事に関連する音楽や音などを出力したりする際に利用する。
【００２８】
筐体１０２の側端部には，電子情報インタフェース１３０が設けられている。この電子情報インタフェース１３０は，例えば新聞，雑誌などの電子情報が記録されたメモリカードなどの半導体メモリからなる電子情報記録媒体１３２が出入自在に設けられている。なお，電子情報インタフェース１３０は，無線や有線により例えばインターネットなどのネットワークに接続して電子情報を受信できるように構成してもよい。
【００２９】
電子情報は，少なくとも，新聞や雑誌などのように複数の記事を有する紙面のイメージ情報と，各記事又は各記事が記載された区画に関連付けられた記事の内容情報とを含む。上記イメージ情報は，新聞や雑誌の紙面（ページ）をまるごとイメージ化したイメージデータである。このイメージ情報に基づいて新聞や雑誌をページごと左側表示部１０８又は右側表示部１１０に表示させる。これにより，記事の区画がどのように配置されているがわかる。この記事の紙面レイアウトにより，どの記事が重要か，今話題となっている記事は何かなどが一目でわかる。また，上記記事内容情報は，紙面のイメージ情報における記事区画，例えば記事の位置に関連付けられる。
【００３０】
各記事の内容情報は，各記事の内容を文字データや写真などの画像データにより構成したものである。この記事内容情報は，記事が選択されると，その記事の内情情報が左側表示部１０８又は右側表示部１１０に表示される。この場合に例えば記事内容を縦書や横書の可読サイズのテキスト表示により表示部全面に表示すれば，紙面イメージでは文字が小さくて読みにくい記事の内容も，テキスト表示などにより読みやすく表示されるので，容易に読むことができる。
【００３１】
携帯型情報端末装置１００の全体構成を示す回路ブロック図を図２に示す。携帯型情報端末装置１００は，制御部本体を構成するＣＰＵ（Ｃｅｎｔｒａｌ　ＰｒｏｃｅｓｓｉｎｇＵｎｉｔ　）２００，各回路を制御するプログラムが格納されている記録媒体の１例としてのＲＯＭ（Ｒｅａｄ　Ｏｎｌｙ　Ｍｅｍｏｒｙ）２０２，ＣＰＵ２００がＲＯＭ（Ｒｅａｄ　Ｏｎｌｙ　Ｍｅｍｏｒｙ）２０２から必要に応じて読出したプログラムを展開して記憶するメモリ領域などを設けたＲＡＭ（Ｒａｎｄｏｍ　Ａｃｃｅｓｓ　Ｍｅｍｏｒｙ）を備える。
【００３２】
また，新聞，雑誌などの電子情報に対して描画処理を行うためのＶＲＡＭ（Ｖｉｄｅｏ　ＲＡＭ　）２０６，新聞，雑誌などの電子情報に対して所定の処理を行う電子情報処理部２０８，上記ジョグレバー１１２や各操作ボタン（電源ボタン１１４，ページめくりボタン１２０，１２２等）を有する操作部２１２を制御する操作制御部２１０，上記表示部１０８，１１０，スピーカ１２８を制御するスピーカ制御部２１８，電子情報インタフェース１３０などを備える。その他，電子情報インタフェース１３０から取込んだ電子情報を一時的に記憶するメモリなどを設けてもよい。また上記ＲＯＭ２０２は読み書き可能なメモリで構成して，電子情報インタフェース１３０からプログラムを取込むようにしてもよい。この場合，プログラムは，半導体メモリから取込んでもよく，またインターネットなどのネットワークを介してＷｅｂページなどから取込むようにしてもよい。
【００３３】
上記ＣＰＵ２００とＲＯＭ２０２，ＲＡＭ２０４，ＶＲＡＭ２０６，電子情報処理部２０８，操作制御部２１０，表示制御部２１４，スピーカ制御部２１８，電子情報インタフェース１３０とはバスライン２２０により電気的に接続されている。
【００３４】
而してＣＰＵ２００は，ＲＯＭ２０２に格納されているプログラムを必要に応じて読み出し，読み出したプログラムをＲＡＭ２０４に展開して記憶する。ＣＰＵ２０は，このＲＡＭ２２に展開されているプログラムを読み出して実行することにより携帯型情報端末装置１００の各回路を制御するようになっている。
【００３５】
そこでＣＰＵ２００は，電子情報記録媒体１３２に記録されている新聞，雑誌などの電子情報（電子データ）を電子情報インタフェース１３０を介して読み出して，読み出した電子データに基づいて画像データを生成し，その画像データをＶＲＡＭ２０６に転送して描画処理を行う。ＣＰＵ２００は，ＶＲＡＭ２０６に書き込まれた画像データを読出し，読出した画像データを表示制御部２１４を介して表示部１０８，１１０に転送して表示する。
（電子情報表示制御）
次に，本実施の形態にかかる携帯型情報端末装置１００がプログラムに基づいて行う電子情報表示制御について図面を参照しながら説明する。ここでは，電子情報の１例として新聞のデータを表示する場合について説明する。新聞の電子情報を表示する場合には，電子情報表示制御により先ず新聞の第１面（１ぺージ）を左側表示部１０８に表示する。また，操作部２１２からの操作に応じた電子情報表示制御としては，例えばページめくり制御，記事ボタン表示制御，ウインドウ制御，記事ボタン選択制御，記事内容拡大制御を行う。
【００３６】
先ず，イメージ情報表示制御手段，イメージ情報表示制御工程の１例としてのページめくり制御のフローチャートを図３に示す。ページめくり制御は，表示部１０８，１１０に表示された新聞のページを切換える制御である。具体的には先ずステップＳ１００にてぺージめくり左ボタン１２０が押されたかを判断する。ぺージめくり左ボタン１２０が押されたと判断した場合は，ステップＳ１１０にて新聞の次の面（ページ）を右側表示部１１０に表示し，その次の面（ページ）を左側表示部１０８に表示する。
【００３７】
上記ステップＳ１００にてぺージめくり左ボタン１２０が押されていないと判断した場合は，ステップＳ１２０にてぺージめくり右ボタン１２２が押されたか否かを判断する。ぺージめくり右ボタン１２２が押されていないと判断した場合は，ステップＳ１００の処理に戻り，ぺージめくり右ボタン１２２が押されたと判断した場合は，ステップＳ１３０にて前の面（ページ）を左側表示部１０８に表示し，その前の面（ページ）を右側表示部１１０に表示する。
【００３８】
なお，上記ページめくり制御は，右閉じの新聞，雑誌などの電子情報を表示する場合であり，左閉じの新聞，雑誌などの電子情報を表示する場合には，ステップＳ１１０として「前のページを右側表示部１１０に表示し，その前のページを左側表示部１０８に表示する」とし，ステップＳ１３０として「次のページを左側表示部１０８に表示し，その次のページを右側表示部１１０に表示する」とすればよい。
【００３９】
このページめくり制御によれば，例えば図４に示すように左側表示部１０８に新聞の第１面の紙面イメージが表示されている場合にぺージめくり左ボタン１２０が押されると，図５に示すように新聞の第２面の紙面イメージが右側表示部１１０に表示され，新聞の第３面の紙面イメージが左側表示部１０８に表示される。これにより，新聞のページごとの紙面イメージを実際の新聞をめくるように表示させることができる。このように，新聞の紙面イメージをそのまま表示させることにより，記事の区画内の文字や写真もそのまま表示される。このような新聞の文字や写真を含めた記事の紙面レイアウトにより，どの記事が重要か（記事の重み），今話題となっている記事は何かなどが一目でわかる。
【００４０】
次に，記事ボタン表示制御手段，記事ボタン表示制御工程の１例としての記事ボタン表示制御のフローチャートを図６に示す。記事ボタン表示制御は，表示部１０８，１１０に表示された新聞の紙面イメージにおける各記事の区画内に記事を選択するための記事マークの１例としての記事ボタンを表示させる制御である。
【００４１】
具体的には先ずステップＳ２００にてジョグレバー１１２が下方向にスイッチされたか否かを判断する。ジョグレバー１１２が下方向にスイッチされたと判断した場合はステップＳ２１０にて記事ボタン１４０を表示する。記事ボタン１４０は，表示部１０８，１１０に表示された新聞の紙面イメージにおける各記事の区画内に表示する。例えば記事の見出しの近傍に表示する。記事の見出し近傍に記事ボタンを表示することにより，その見出しの記事の区画の記事ボタンであることが一目でわかる。
【００４２】
次いで，ステップＳ２２０にて表示部１０８，１１０のいずれかにウインドウを表示し，そのウインドウ内に最初の記事ボタン１４０が表示された区画の記事内容情報を表示する。最初の記事ボタン１４０としては，例えば新聞の電子情報であれば若い方のページの右上に位置する記事ボタンとする。このように，ジョグレバー１１２により記事マークの選択を可能とすることにより，記事の選択，記事内容の表示などの操作が一層簡単となる。
【００４３】
この記事ボタン表示制御によれば，例えば図７に示すように新聞の第２面（ページ）が右側表示部１１０に表示されるとともに，新聞の第３面（ページ）の紙面イメージが左側表示部１０８に表示されている場合に，ジョグレバー１１２が下方向にスイッチされると，図８に示すように新聞の紙面イメージにおける各記事の区画に記事ボタン１４０が表示される。
【００４４】
次いで，図９に示すように左側表示部１０８の全面にウインドウが新聞の紙面イメージ上に重ねて表示され，そのウインドウ内に最初の記事ボタン１４０が示す区画の記事内容情報が表示される。記事内容情報を表示する場合には，例えば表示部全面に縦書や横書の可読サイズのテキストで表示すれば，新聞のページごとの紙面イメージでは文字が小さくて読みにくい記事の内容でも読みやすく表示されるので，容易に読むことができる。しかも，記事の枠だけではなく，記事の文字や写真が入った状態の実際の紙面イメージそのものを表示するので，記事の重みなどを判断し易い。
【００４５】
また，ウインドウに表示する記事内容としては，文字をテキスト表示するのみならず，写真があればその写真画像をより大きく表示してもよい。またウインドウに表示された記事内容に関連する音声や音楽などの音情報をスピーカ１２８から出力させるようにしてもよい。
【００４６】
また，上記ウインドウは最初の記事ボタン１４０が表示された表示部とは別の表示部に表示するとともに，記事内容が表示されている記事ボタン１４０は他の記事ボタン１４０と異なる表示にする。例えば他の記事ボタン１４０よりも濃い塗りつぶしで表示したり，カラー画面を表示できる表示部であれば他の記事ボタン１４０とは別の色で表示したりしてもよい。これにより，新聞のページの紙面イメージとページ内の区画の記事内容を同時に見ることができるので，紙面イメージで表示された新聞のうちどの区画の記事の記事内容が表示されているかなどを記事内容を読みながら確認することができる。
【００４７】
次に，ウインドウ制御のフローチャートを図１０に示す。ウインドウ制御は，表示部１０８，１１０に表示されたウインドウ内に表示される記事内容情報のページを切換えたり，ウインドウを消去してもとの新聞の紙面イメージを表示させたりする制御である。ウインドウ内には，記事内容情報をテキストなどにより表示するため，記事の内容によってはすべての内容を１回でウインドウに表示させることはできない。このため，ウインドウに１回で表示可能な文字数や画像の大きさを１ぺージとして，ページを切換えることができるようにしたものである。なお，必ずしもページ切換えによらずにウインドウに表示される内容をスクロールするようにしてもよい。
【００４８】
具体的には，先ずステップＳ３００にてぺージめくり左ボタン１２０が押されたかを判断する。ぺージめくり左ボタン１２０が押されたと判断した場合は，ステップＳ３１０にて記事内容情報の次のページをウインドウ内に表示する。
【００４９】
上記ステップＳ３００にてぺージめくり左ボタン１２０が押されていないと判断した場合は，ステップＳ３２０にてぺージめくり右ボタン１２２が押されたか否かを判断する。ぺージめくり右ボタン１２２が押されたと判断した場合は，ステップＳ３３０にて記事内容情報の前のページをウインドウに表示する。
【００５０】
ステップＳ３２０にてぺージめくり右ボタン１２２が押されていないと判断した場合は，ステップＳ３４０にて戻るボタン１１６が押されたかを判断する。戻るボタンが押されていないと判断した場合はステップＳ３００の処理に戻り，戻るボタンが押されたと判断した場合はステップＳ３５０にてウインドウを消去し，ウインドウを表示する前に表示されていた元の画面（新聞の紙面イメージなど）を表示する。
【００５１】
このウインドウ制御によれば，図１１に示すようにウインドウ内に記事内容が表示されている場合にぺージめくり左ボタン１２０が押されると，図１２に示すようにウインドウに表示された記事内容の続きのページがウインドウに表示される。これにより，見やすい文字で記事内容を読み進めることができる。
【００５２】
また，図１３に示すようにウインドウが表示された状態で戻りボタン１１６が押されると，図１４に示すようにウインドウが消え，ウインドウを表示する前に表示されていた元の画面である新聞の紙面イメージが表示される。これにより，元の画面の紙面イメージから記事を選択することができるようになる。
【００５３】
なお，選択された記事ボタン１４０の記事内容の最後のページを表示しているときに，さらにぺージめくり左ボタン１２０が押された場合には，次の記事ボタンの記事内容をウインドウに表示させるようにしてもよい。この場合の記事ボタンの順番は，後述する記事ボタン選択制御における記事ボタンを選択候補表示させる順番としてもよい。
【００５４】
次に，記事内容情報表示制御手段，記事内容情報表示制御工程の１例としての記事ボタン選択制御のフローチャートを図１５に示す。記事ボタン選択制御は，表示部１０８，１１０の紙面イメージ上に表示された記事ボタン１４０を選択して，記事内容情報を表示させる制御である。具体的には先ずステップＳ４００にてジョグレバー１１２が下方向にスイッチオンされたか否かを判断する。
【００５５】
ステップＳ４００にてジョグレバー１１２が下方向にスイッチオンされたと判断した場合は，ステップＳ４１０にて次の記事ボタン１４０を選択候補表示する。ここでいう選択候補表示とは，選択された記事ボタン１４０を，他の記事ボタン１４０とは異なる表示にすることを示す。例えば上述したように他の記事ボタン１４０よりも濃い塗りつぶしで表示したり，反転で表示したりする。また，カラー画面を表示できる表示部を用いれば，他の記事ボタン１４０とは別の色で表示してもよい。
【００５６】
なお，選択候補表示させる記事ボタン１４０の順番は，例えば最も上方にある記事ボタンを最初とすれば，より下方にある記事ボタン１４０に移っていくようにしてもよい。また最も右方向にある記事ボタン１４０を最初にすれば，より左方向にある記事ボタン１４０に移っていくようにしてもよい。逆に最も左方向にある記事ボタン１４０を最初にすれば，より右方向にある記事ボタン１４０に移っていくようにしてもよい。さらに表示部におけるある点を原点にして原点から記事ボタンまでの距離が短い順に移っていくようにしてもよく，予め順番を設定しておいてもよい。この場合，選択候補表示させる記事ボタン１４０の順番の設定は自由に変更できるようにしてもよい。
【００５７】
ステップＳ４００にてジョグレバー１１２が下方向にスイッチオンされていないと判断した場合は，ステップＳ４２０にてジョグレバー１１２が上方向にスイッチオンされたか否かを判断する。ジョグレバー１１２が上方向にスイッチオンされたと判断した場合は，ステップＳ４３０にて前の記事ボタン１４０を選択候補表示する。
【００５８】
ステップＳ４２０にてジョグレバー１１２が上方向にスイッチオンされていないと判断した場合は，ステップＳ４３０にてジョグレバー１１２が押方向にスイッチオンされたか否かを判断する。ジョグレバー１１２が押方向にスイッチオンされていないと判断した場合は，ステップＳ４００の処理に戻る。
【００５９】
ステップＳ４４０にてジョグレバー１１２が押方向にスイッチオンされたと判断した場合は，ステップＳ４５０にてその記事ボタン１４０が表示されていない方の表示部にその記事内容情報を表示したウインドウを開く。
【００６０】
この記事ボタン選択制御によれば，図１６に示すように右側表示部１１０と左側表示部１０８に見開きで紙面イメージが表示されている場合には，右側表示部１１０の最も上方にある記事ボタン１４０を最初に選択候補表示する。この状態でジョグレバー１１２が下方向にスイッチオンされると，図１７に示すように最初に選択候補表示された記事ボタンよりも下方にあって最も近い記事ボタンが選択候補表示される。
【００６１】
この状態で，図１８に示すようにさらにジョグレバー１１２が連続して下方向にスイッチオンされると，下方向にスイッチオンされた数だけより下方にある記事ボタンへ選択候補表示が移っていく。
【００６２】
この記事ボタンの選択候補表示が移っていく順番は，例えば図１９に示すように右側表示部１１０の最も右上にある記事ボタン１４０を最初の記事ボタンとすれば，図１９に矢印で示すように，より下方にある記事ボタン１４０に選択候補表示が移る。そして右側表示部１１０の最後の記事ボタン１４０まで来たら，左側表示部１０８の最も右上にある記事ボタン１４０に選択候補表示が移る。その後は，左側表示部１０８においてより下方にある記事ボタンに選択候補表示が移る。
【００６３】
そして，図２０に示すようにある記事ボタン１４０が選択候補表示されている状態で，ジョグレバー１１２が押方向にスイッチオンされると，図２１に示すようにウインドウが表示され，そのウインドウ内に記事ボタン１４０の区画の記事内容が例えば可読サイズの文字でテキスト表示される。この例では，左側表示部１０８の記事ボタン１４０が選択候補表示されているので，右側表示部１１０に記事内容情報を表示したウインドウが全面表示される。
【００６４】
このように，紙面イメージ上に表示された記事ボタンをジョグレバー１１２によって簡単に所望の記事を選択して記事内容をウインドウに見やすく表示させることができる。しかも紙面イメージを見ながら記事を選択することができるので，紙面イメージでわかる記事の重みなどを確認しながら記事を選択することができる。これにより，ＰＤＡ（Ｐｅｒｓｏｎａｌ　Ｄｉｇｉｔａｌ　Ａｓｓｉｓｔａｎｃｅ）や携帯電話等の携帯型情報端末装置のように表示画面を大きくとれないような装置でも，紙面イメージを意識しながら記事を読むことが容易にできる新たな新聞，雑誌の見方を提供できる。また電子新聞などの電子情報を表示する表示装置の表示画面をさらに小型化することができる。
【００６５】
次に，記事内容拡大制御のフローチャートを図２２に示す。記事内容拡大制御は，ウインドウに表示された記事内容情報の文字をさらに拡大させる制御である。具体的には，ステップＳ５００にて拡大ボタンが押されたかを判断し，拡大ボタンが押されたと判断したときは，ステップＳ５１０にてウインドウに表示された記事内容の文字を拡大する。
【００６６】
このとき，ウインドウが表示されている方の筐体の拡大表示ボタンが押されたときに拡大表示を行うようにしてもよい。例えば，左側表示部１０８にウインドウがあるときは左側拡大ボタン１２４が押されるとそのウインドウの内容を拡大表示し，右側表示部１１０にウインドウがあるときは右側拡大ボタン１２６が押されるとそのウインドウの内容を拡大表示する。
【００６７】
この記事内容拡大制御によれば，図２３に示すように例えば右側表示部１１０に記事内容の文字を表示するウインドウが開いているときに右側拡大ボタン１２６が押されると，図２４に示すようにウインドウ内に表示された記事内容の文字が拡大される。このように，ウインドウ内の記事内容の文字を拡大することができるので，より記事内容を見やすくすることができる。
【００６８】
次に，本発明の第２の実施の形態を図面を参照しながら説明する。第２の実施の形態において，第１の実施の形態における部分と同一部分には同一符号を付して詳細な説明を省略する。
【００６９】
第２の実施の形態では，図２５に示すような表示部が単一の携帯型情報端末装置３００に本発明を適用した場合について説明する。この携帯型情報端末装置３００は，筐体３０２に表示手段の１例として単一の表示部３０４が設けられている。
【００７０】
筐体３０２の下方には，操作手段の１例としてジョグレバー３１２，戻りボタン３１６，進みボタン３１８，ページめくり左ボタン３２０，ページめくり右ボタン３２２，拡大ボタン３２４が設けられている。また筐体３０２の下方には，スピーカ３２８が設けられている。
【００７１】
筐体３０２の側端部には，電子情報インタフェース３３０が設けられている。この電子情報インタフェース３３０は，例えば新聞，雑誌などの電子情報が記録されたメモリカードなどの半導体メモリからなる電子情報記録媒体３３２が出入自在に設けられている。なお，電子情報インタフェース３３０は，無線や有線により例えばインターネットなどのネットワークを介して電子情報を配信するＷｅｂページなどから電子情報を受信可能に構成してもよい。
【００７２】
上記ジョグレバー３１２，戻りボタン３１６，進みボタン３１８，ページめくり左ボタン３２０，ページめくり右ボタン３２２，拡大ボタン３２４，スピーカ３２８はそれぞれ，第１の実施の形態における携帯型情報端末装置１００のジョグレバー１１２，戻りボタン１１６，進みボタン１１８，ページめくり左ボタン１２０，ページめくり右ボタン１２２，拡大ボタン１２４，スピーカ１２８に対応し，ほぼ同様の機能を有している。
【００７３】
例えば携帯型情報端末装置３００において，表示部３０４には，電子情報インタフェース３３０から取入れた新聞，雑誌などの電子情報に基づいて，紙面イメージが表示される。ページめくり左ボタン１２０が押されると，次のページの紙面イメージが表示され，ページめくり右ボタン１２２が押されると，前のページの紙面イメージが表示される。但し，第１の実施の形態にかかる携帯型情報端末装置１００と異なり，携帯型情報端末装置３００の表示部３０４は単一なので，新聞，雑誌などの紙面イメージは１ページずつ表示される。
【００７４】
紙面イメージが表示されているときに，ジョグレバー３１２が下方向にスイッチオンされると，紙面イメージ上の各記事区画に記事ボタンが表示され，最も右上の記事ボタンが上記第１の実施の形態の場合と同様に選択候補表示される。この状態でジョグレバー３１２を下方向にスイッチオンすると，その分だけ他の記事ボタンへ次々と選択候補表示が移る。そして，ジョグレバー３１２が押方向に押されると，ウインドウが表示され，そのウインドウ内に選択候補表示されている記事ボタンの記事内容情報が例えばテキスト表示される。このように，表示部が単一の携帯型情報端末装置３００に本発明を適用しても，同様の効果を奏することができる。
【００７５】
上記記事内容を表示するウインドウは，図２５に示すように表示部３０４の一部に表示するようにしてもよく，また図２６に示すように表示部３０４の全面に表示するようにしてもよい。上記ウインドウを表示部３０４の一部に表示する場合には，さらに選択された記事ボタンが表示される紙面イメージと重ならないように表示してもよい。これにより，記事内容が表示されている記事の紙面イメージを見ながら記事内容を読むことができるので，記事の重要度などを把握しながら記事内容を読み進めることができる。
【００７６】
なお，図２６に示すようにウインドウが表示されているときに，ページめくり左ボタン１２０が押されると，ウインドウ内において記事内容の次のページが表示される。また拡大ボタン３２４が押されると，ウインドウ内の記事内容の文字が拡大表示される。これにより，より読みやすい文字で記事内容を読むことができる。
【００７７】
以上，添付図面を参照しながら本発明に係る好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７８】
例えば，上記実施の形態によれば，本発明をＰＤＡ，携帯電話などの携帯型情報端末装置に適用した場合を説明したが，必ずしもこれに限定されることはなく，電子ブックなどに適用してもよい。
【００７９】
また，電子情報は，電子情報インタフェース１３０を介してメモリカードなどの半導体メモリから取入れてもよい。また電子情報インタフェース１３０を介して無線や有線により例えばインターネットなどのネットワークに接続し，Ｗｅｂページ等から取入れるようにしてもよい。
【００８０】
【発明の効果】
以上詳述したように本発明によれば，実際の新聞，雑誌などのイメージと同様の紙面レイアウトイメージを表示でき，しかもそのイメージに基づいて可読サイズの記事を簡単な操作で表示させることができる。また，ＰＤＡや携帯電話等の携帯型情報端末装置のように表示画面を大きくとれないような装置でも，紙面イメージを意識しながら記事を読むことが容易にできる新たな新聞，雑誌の見方を提供できる。
【図面の簡単な説明】
【図１】本発明の第１の実施の形態にかかる携帯型情報端末装置を示す外観構成図。
【図２】同実施の形態にかかる携帯型情報端末装置の構成を示す回路ブロック図。
【図３】同実施の形態におけるページめくり制御のフローチャートを示す図。
【図４】同実施の形態におけるページめくり制御による表示部への画面表示例を示す図。
【図５】同実施の形態におけるページめくり制御による表示部への画面表示例を示す図。
【図６】同実施の形態における記事ボタン表示制御のフローチャートを示す図。
【図７】同実施の形態における記事ボタン表示制御による表示部への画面表示例を示す図。
【図８】同実施の形態における記事ボタン表示制御による表示部への画面表示例を示す図。
【図９】同実施の形態における記事ボタン表示制御による表示部への画面表示例を示す図。
【図１０】同実施の形態におけるウインドウ制御のフローチャートを示す図。
【図１１】同実施の形態におけるウインドウ制御による表示部への画面表示例を示す図。
【図１２】同実施の形態におけるウインドウ制御による表示部への画面表示例を示す図。
【図１３】同実施の形態におけるウインドウ制御による表示部への画面表示例を示す図。
【図１４】同実施の形態におけるウインドウ制御による表示部への画面表示例を示す図。
【図１５】同実施の形態における記事ボタン選択制御のフローチャートを示す図。
【図１６】同実施の形態における記事ボタン選択制御による表示部への画面表示例を示す図。
【図１７】同実施の形態における記事ボタン選択制御による表示部への画面表示例を示す図。
【図１８】同実施の形態における記事ボタン選択制御による表示部への画面表示例を示す図。
【図１９】同実施の形態における記事ボタン選択制御による表示部への画面表示例を示す図。
【図２０】同実施の形態における記事ボタン選択制御による表示部への画面表示例を示す図。
【図２１】同実施の形態における記事ボタン選択制御による表示部への画面表示例を示す図。
【図２２】同実施の形態における記事内容拡大制御のフローチャートを示す図。
【図２３】同実施の形態における記事内容拡大制御による表示部への画面表示例を示す図。
【図２４】同実施の形態における記事内容拡大制御による表示部への画面表示例を示す図。
【図２５】本発明の第２の実施の形態にかかる携帯型情報端末装置を示す外観構成図。
【図２６】同実施の形態における表示部への画面表示例を示す図。
【符号の説明】
１００　　　携帯型情報端末装置
１０２　　　筐体
１０４　　　筐体
１０６　　　回動軸
１０８　　　左側表示部
１０８　　　左側表示部
１１０　　　右側表示部
１１２　　　ジョグレバー
１１４　　　電源ボタン
１１６　　　戻りボタン
１１８　　　進みボタン
１２０　　　ページめくり左ボタン
１２２　　　ページめくり右ボタン
１２４　　　左側拡大ボタン
１２６　　　右側拡大ボタン
１２８　　　スピーカ
１３０　　　電子情報インタフェース
１３２　　　電子情報記録媒体
１４０　　　記事ボタン
２０６　　　ＶＲＡＭ
２０８　　　電子情報処理部
２１０　　　操作制御部
２１２　　　操作部
２１４　　　表示制御部
２１８　　　スピーカ制御部
２２０　　　バスライン
３００　　　携帯型情報端末装置
３０２　　　筐体
３０４　　　表示部
３１２　　　ジョグレバー
３１６　　　戻りボタン
３１８　　　進みボタン
３２０　　　ページめくり左ボタン
３２２　　　ページめくり右ボタン
３２４　　　拡大ボタン
３２８　　　スピーカ
３３０　　　電子情報インタフェース
３３２　　　電子情報記録媒体
【図１】
2004139399.tif 000003
【図２】
2004139399.tif 000004
【図３】
2004139399.tif 000005
【図４】
2004139399.tif 000006
【図５】
2004139399.tif 000007
【図６】
2004139399.tif 000008
【図７】
2004139399.tif 000009
【図８】
2004139399.tif 000010
【図９】
2004139399.tif 000011
【図１０】
2004139399.tif 000012
【図１１】
2004139399.tif 000013
【図１２】
2004139399.tif 000014
【図１３】
2004139399.tif 000015
【図１４】
2004139399.tif 000016
【図１５】
2004139399.tif 000017
【図１６】
2004139399.tif 000018
【図１７】
2004139399.tif 000019
【図１８】
2004139399.tif 000020
【図１９】
2004139399.tif 000021
【図２０】
2004139399.tif 000022
【図２１】
2004139399.tif 000023
【図２２】
2004139399.tif 000024
【図２３】
2004139399.tif 000025
【図２４】
2004139399.tif 000026
【図２５】
2004139399.tif 000027
【図２６】
2004139399.tif 000028